【手続補正書】
【提出日】平成20年9月2日(2008.9.2)
【手続補正１】
【補正対象書類名】明細書
【補正対象項目名】請求項３
【補正方法】変更
【補正の内容】
【請求項３】  前記情報提供管理手段は、
前記情報処理装置から転送される情報に基づいて映像を表示する表示装置と、
前記情報処理装置から入力操作指示に基づいて前記表示装置における表示処理を含む電子情報処理を支援する情報処理支援装置とを備えることを特徴とする請求項１に記載のネットワーク情報処理システム。
【手続補正２】
【補正対象書類名】明細書
【補正対象項目名】請求項１０
【補正方法】変更
【補正の内容】
【請求項１０】  前記情報提供管理手段には、
前記情報処理装置から転送される情報に基づいて映像を表示する表示装置と、
前記情報処理装置から入力操作指示に基づいて前記表示装置における表示処理を含む電子情報処理を支援する情報処理支援装置とを使用することを特徴とする請求項８に記載の情報処理方法。
【手続補正３】
【補正対象書類名】明細書
【補正対象項目名】００４２
【補正方法】変更
【補正の内容】
【００４２】
図３に示すネットワーク型の電子会議システム（ｅ−ｐｏｒｄｕｃｔｓ）１０１はネットワーク情報処理システムの一例であり、第１のネットワーク情報処理システム（単にネットワークシステムという）＃１としての会議室Ｒｏｏｍ．Ｎｏ３３６の会議グループと、第２のネットワーク情報処理システム（単にネットワークシステムという）＃２としての会議室Ｒｏｏｍ．Ｎｏ３０１の会議グループの２つが存在している。
【手続補正４】
【補正対象書類名】明細書
【補正対象項目名】００４５
【補正方法】変更
【補正の内容】
【００４５】
この電子会議システム１０１では、無線ＬＡＮカード制御可能なＴＶ会議装置７やクリエータ５を含めて１つの会議グループのシステムが構成される。各々の会議グループのコミュニケータ３Ａ〜３Ｄ、ＴＶ会議装置７、クリエータ５は集線接続器（ＨＵＢ）９を通じて通信手段４０により接続されている。また、Ｎｏ３３６の会議グループの電子機器と、会議室Ｒｏｏｍ．Ｎｏ３０１の電子機器とが通信手段４０を通じて接続されている。
【手続補正５】
【補正対象書類名】明細書
【補正対象項目名】００４６
【補正方法】変更
【補正の内容】
【００４６】
図４はネットワークシステム＃１の構成例を示すブロック図である。１つの情報処理システム＃１は５個の集線接続器（ＨＵＢ）９Ａ〜９Ｅと、３台のノートパソコンＰＣｉ（ｉ＝１〜３）と、２台の資料表示用のプロジェクタ２Ａ，２Ｃ及び主／副コミュニケータ３Ａ，３Ｃと、１台の無線ＬＡＮ機能を有したＴＶ会議装置７と、クリエータ５と、無線ＬＡＮ用のアクセスポイント（ブリッジ）６から構成される。
【手続補正６】
【補正対象書類名】明細書
【補正対象項目名】００７９
【補正方法】変更
【補正の内容】
【００７９】
続いて、ネットワーク型の電子会議システム１０１におけるグループ識別情報の送受信処理例について説明する。この実施例では複数のネットワーク構成用の電子機器を同一のネットワーク上に接続してネットワーク型の電子会議システムを構築する場合を前提とする。なお、会議室「Ｒｏｏｍ３３６」（ネットワークシステム＃１）の場合について説明をする。また、主コミュニケータ３Ａは接続機器を登録するために、以下の識別情報パケットを５秒間隔でブロードキャストする場合を想定する。
【手続補正７】
【補正対象書類名】明細書
【補正対象項目名】０１０５
【補正方法】変更
【補正の内容】
【０１０５】
図６に示したＧＵＩ起動時画面Ｐ０はローカル側の会議グループの参加者のノートパソコンＰＣ１等に表示される内容である。このＧＵＩ起動時画面Ｐ０の右側にはアテンディ画面２３が表示され、そのアテンディ画面２３には当該電子会議システム１０２に同時に参加しているローカル側の会議グループとリモート側の会議グループのノートパソコンＰＣｉのＩＰアドレス及び参加者の顔画像等が表示するようになされる。この例ではローカル側の会議グループの参加者を示すＬｏｃａｌ１とそのＩＰアドレス（１９２．１６８．０．１２９）、リモート側の会議グループの参加者を示すＲｅｍｏｔｅ２とそのＩＰアドレス（１９２．１６８．０．５３）、他の参加者を示すＲｅｍｏｔｅ１とそのＩＰアドレス（１９２．１６８．０．８４）が表示される。
【手続補正８】
【補正対象書類名】明細書
【補正対象項目名】０１０７
【補正方法】変更
【補正の内容】
【０１０７】
例えば、ローカル側のＬｏｃａｌ１からリモート側のＲｅｍｏｔｅ２へファイルを転送する場合に、パケット転送処理は次のようになされる。この例ではローカル側のノートパソコンＰＣ１のＩＰアドレスは、（１９２．１６８．０．１０１）であり、送信元はＬｏｃａｌ１、送信先はＲｅｍｏｔｅ１である。
【手続補正９】
【補正対象書類名】明細書
【補正対象項目名】０１０８
【補正方法】変更
【補正の内容】
【０１０８】
リモート側のノートパソコンＰＣ２のＩＰアドレスは、例えば、（１９２．１６８．０．５３）であり、送信元はＬｏｃａｌ１、送信先はＲｅｍｏｔｅ１である。ローカル側のコミュニケータ３Ａのグローバルアドレスは（４３．２．５７．１１）である。リモート側のコミュニケータ３Ｂのグローバルアドレスは（４３．０．２１．１２１）である。
【手続補正１０】
【補正対象書類名】明細書
【補正対象項目名】０１３４
【補正方法】変更
【補正の内容】
【０１３４】
このときの送信データの構造は、概略、次の通りである。主コミュニケータ３ＡのＩＰアドレス＋登録機器情報（＝機器１，機器２・・・機器ｎ）等のデータ列である。各機器のデータ構造は機器ｘ＝（識別情報１，識別情報２・・・識別情報ｍ）である。例えば、テレビ会議装置７は（ＩＰアドレス、ＩＳＤＮ、電話番号）等である。
【手続補正１１】
【補正対象書類名】明細書
【補正対象項目名】０１６３
【補正方法】変更
【補正の内容】
【０１６３】
なお、この例ではステップＦ７〜ステップＦ１１でネットワーク構成用の電子機器をグルーピングするようになされる。例えば、ステップＦ７でアイコン（表示装置）がクリックされたら、現在のアイコンの選択状態をチェックする（ステップＦ８）。例えば、ステップＦ９で表示装置用のアイコンが選択状態であれば、ステップＦ１０に移行してそのアイコンを非選択状態にする。
【手続補正１２】
【補正対象書類名】明細書
【補正対象項目名】０２０４
【補正方法】変更
【補正の内容】
【０２０４】
I． ファイルを主コミュニケータ３Ａに接続されているプロジェクタ２Ａに表示する。その際に主コミュニケータ３Ａは他の会議室の主コミュニケータ３Ｂにもファイルを再転送し、主コミュニケータ３Ｂに接続されているプロジェクタ２Ｂに同じプレゼンテーション資料を表示するようになされる。
【手続補正１３】
【補正対象書類名】明細書
【補正対象項目名】０２０５
【補正方法】変更
【補正の内容】
【０２０５】
II．  そこからシステム＃１では更に、副コミュニケータ３Ｃに再転送し、副コミュニケータ３Ｃに接続されているプロジェクタ３Ｃに表示させる。その際に主コミュニケータ３Ａは他の会議室の副コミュニケータ３Ｄにもファイルを再転送し、副コミュニケータ３Ｄに接続されているプロジェクタ２Ｄで同じプレゼンテーション資料を表示するようになされる。これにより、両会議室で同じ電子情報内容の映像を見ることができる。
【手続補正１４】
【補正対象書類名】明細書
【補正対象項目名】０２０６
【補正方法】変更
【補正の内容】
【０２０６】
III．  他の会議室の主コミュニケータ３Ｂに再転送し、そこの主コミュニケータ３Ｂから会議室内のノートパソコンＰＣｉにファイルを転送し、会議室を越えたユーザ間でのファイル転送機能を実現する。
【手続補正１５】
【補正対象書類名】明細書
【補正対象項目名】０２０８
【補正方法】変更
【補正の内容】
【０２０８】
I．  会議室内のローカルなネットワークのトラフィック量、このローカルなネットワークには無線ＬＡＮが使用されることから、帯域が狭くなることが多い。
【手続補正１６】
【補正対象書類名】明細書
【補正対象項目名】０２０９
【補正方法】変更
【補正の内容】
【０２０９】
II．  主コミュニケータ３Ａの負荷に関しては、他会議室や副コミュニケータ３Ｃへのファイル転送は主コミュニケータ３Ａを介して行われるため、主コミュニケータ３Ａに負荷が集中する。
【手続補正１７】
【補正対象書類名】図面
【補正対象項目名】図６
【補正方法】変更
【補正の内容】
【図６】
2003087284.tif 000001
【手続補正１８】
【補正対象書類名】図面
【補正対象項目名】図１６
【補正方法】変更
【補正の内容】
【図１６】
2003087284.tif 000002
【手続補正１９】
【補正対象書類名】図面
【補正対象項目名】図１８
【補正方法】変更
【補正の内容】
【図１８】
2003087284.tif 000003